【手続補正書】
【提出日】平成18年4月17日(2006.4.17)
【手続補正１】
【補正対象書類名】明細書
【補正対象項目名】特許請求の範囲
【補正方法】変更
【補正の内容】
【特許請求の範囲】
【請求項１】  予め所定の位置情報を登録する登録手段と、
位置情報を取得する取得手段と、
前記取得した位置情報と前記登録手段に登録された位置情報とを比較し、所定の条件を満たすと、アラーム音またはバイブレータによって報知する報知制御手段と
を有することを特徴とする無線通信端末。
【請求項２】  予め所定の位置情報を登録する登録手段と、
位置情報を取得する取得手段と、
前記取得した位置情報と前記登録手段に登録された位置情報とが一致した場合、アラーム音またはバイブレータによって報知する報知制御手段と
を有することを特徴とする無線通信端末。
【請求項３】  予め所定の位置情報を登録する登録手段と、
位置情報を取得する取得手段と、
前記取得した位置情報と前記登録手段に登録された位置情報とを比較し、所定の条件を満たすと、予め決められた宛先にメッセージを送信する制御手段と
を有することを特徴とする無線通信端末。
【請求項４】  更に入力手段を有し、
前記登録手段に前記所定の位置情報を登録する際、位置情報と前記入力手段によって入力された文字情報とが対応付けられたリストより登録可能であることを特徴とする請求項１乃至請求項３のいずれか１項に記載の無線通信端末。
【手続補正２】
【補正対象書類名】明細書
【補正対象項目名】０００１
【補正方法】変更
【補正の内容】
【０００１】
【発明の属する技術分野】
この発明は、基地局を介して通信を行う携帯電話機等の無線通信端末に関し、詳しくは、位置情報を利用して所定の動作を自動実行するようにして利用形態の拡大を図った無線通信端末に関する。
【手続補正３】
【補正対象書類名】明細書
【補正対象項目名】０００６
【補正方法】変更
【補正の内容】
【０００６】
【発明が解決しようとする課題】
例えば、前述のような基地局の固有なＩＤ（ＣＳ−ＩＤ）といった位置情報を、従来のシステムでは有効利用できていなかった。
【手続補正４】
【補正対象書類名】明細書
【補正対象項目名】０００７
【補正方法】変更
【補正の内容】
【０００７】
もし無線通信端末の利用者が位置情報（例えばその位置を特定できるＣＳ−ＩＤ・緯度経度情報などの情報）を活用できるようになれば、その位置情報を予めセットすることによりある特定の場所に到達した時点で自動的に端末からそのことを知ることが可能になる。
【手続補正５】
【補正対象書類名】明細書
【補正対象項目名】０００８
【補正方法】変更
【補正の内容】
【０００８】
例えば、ある場所に到達した時点で無線通信端末から自動的にアラームを鳴らしたり、バイブレータを動作させたりすることで乗り物の乗り過ごし防止に活用したり、予め決めた場所へ発呼する事で自動的に現在の場所を通知することができるようになる。
【手続補正６】
【補正対象書類名】明細書
【補正対象項目名】０００９
【補正方法】変更
【補正の内容】
【０００９】
そこで、この発明は、端末利用者が有効に位置情報を活用できるようにし、端末利用者またはシステム利用者の利便性を向上させることを可能にした無線通信端末を提供することを目的とする。
【手続補正７】
【補正対象書類名】明細書
【補正対象項目名】００１０
【補正方法】変更
【補正の内容】
【００１０】
【課題を解決するための手段】
上記目的を達成するため、予め所定の位置情報を登録する登録手段と、位置情報を取得する取得手段と、前記取得した位置情報と前記登録手段に登録された位置情報とを比較し、所定の条件を満たすと、アラーム音またはバイブレータによって報知する報知制御手段とを有することを特徴とする。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】変更
【補正の内容】
【００２６】
すなわち、この発明の無線通信端末は、位置情報を端末利用者側で能動的に活用する無線通信端末であって、端末利用者が予め特定の位置情報を登録しておき、外部より取得した位置情報と比較することにより、その比較結果により予め決めた端末動作を行う手順を実行するように構成される。
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】変更
【補正の内容】
【００３３】
したがって、端末利用者は予め位置情報を登録しておくことでその場所にきたことを意識しないで予め登録した行動などを取ったり、予め定めた場所への連絡を行うことができるようになり、端末利用者またはシステム利用者の利便性が向上する。
【手続補正３１】
【補正対象書類名】明細書
【補正対象項目名】０１０２
【補正方法】変更
【補正の内容】
【０１０２】
なお、この発明は上記実施例に限定されるものではない。例えば、上述では図７に示すような基地局からの発識別符号に含まれるＣＳ−ＩＤを用いて説明を行ってきたが、位置情報、例えば緯度経度情報を用いてもよい。
その他、この発明の要旨を逸脱しない範囲で種々の変形を施しても同様に実可能であることは言うまでもない。
【手続補正３２】
【補正対象書類名】明細書
【補正対象項目名】０１０３
【補正方法】変更
【補正の内容】
【０１０３】
【発明の効果】
以上説明したようにこの発明によれば、位置情報を端末利用者側で能動的に活用することができるようにしたもので、端末利用者が予め位置情報を登録しておき、これと取得した位置情報を比較することで、予め決めた端末動作を行うように構成される。これにより、端末利用者は予め登録しておくことでその場所に来たことを意識しないで予め登録した行動などを取ったり、予め定めた場所への連絡や登録更新を行うことができるようになり、端末利用者またはシステム利用者の利便性を向上させることが可能な無線通信端末を提供できる。